(57)【要約】【課題】取り付け作業の簡易化を図りつつ、接続によって生じる信号伝送特性の劣化やばらつきが抑制できる同軸ケーブル接続部材などを提供する。【解決手段】同軸ケーブル接続部材１０は、同軸ケーブルを保持する保持部の一例としての貫通孔１２を含む本体部１１と、回路基板の切欠き部に挿入される挿入部１３と、を備え、挿入部１３は、回路基板に対して同軸ケーブルの長手方向において面で接触する接触部を有し、同軸ケーブルの先端部において露出させた内部導体と、回路基板の一方の表面に設けられた信号導体と、を接続させるとともに、回路基板の他方の表面に設けられた基準導体と、貫通孔１２に挿入された同軸ケーブルにおいて露出させた外部導体と、を接続させる。【選択図】図１
2016127008.tif 000002
【特許請求の範囲】
【請求項１】
同軸ケーブルを長手方向が回路基板の一方の表面に沿う方向に保持する保持部と、
前記回路基板の切欠き部に挿入される挿入部と、を備え、
前記保持部は、前記回路基板に対して前記同軸ケーブルの長手方向に面で接触する接触部を有し、
前記保持部が保持する前記同軸ケーブルの先端部に露出させた内部導体と、前記回路基板の一方の表面に設けられた信号導体と、を接続させるとともに、
前記回路基板の他方の表面に設けられた基準導体と、前記保持部が保持する前記同軸ケーブルにおいて露出させた外部導体と、を接続させる
ことを特徴とする同軸ケーブル接続部材。
【請求項２】
前記挿入部は、前記回路基板の前記一方の表面及び前記他方の表面を挟み込むように当該回路基板に挿入される挿入溝を備えていることを特徴とする請求項１に記載の同軸ケーブル接続部材。
【請求項３】
前記同軸ケーブルの露出させた前記内部導体が前記回路基板を介して対向するように、当該回路基板の前記切欠き部に挿入される側に張り出した張出部をさらに備える
ことを特徴とする請求項２に記載の同軸ケーブル接続部材。
【請求項４】
前記同軸ケーブルが挿入される側に張り出した張出部をさらに備えることを特徴とする請求項２又３に記載の同軸ケーブル接続部材。
【請求項５】
前記挿入部は、前記回路基板に対して前記同軸ケーブルの長手方向と交差する方向に飛び出した凸部を有することを特徴とする請求項１に記載の同軸ケーブル接続部材。
【請求項６】
前記保持部は、前記同軸ケーブルが挿入されて、当該同軸ケーブルを保持する貫通孔を備えていることを特徴とする請求項１乃至５のいずれか１項に記載の同軸ケーブル接続部材。
【請求項７】
前記同軸ケーブルの露出させた前記外部導体を接続するためのはんだを供給する、前記貫通孔に達する開口をさらに備えることを特徴とする請求項６に記載の同軸ケーブル接続部材。
【請求項８】
前記貫通孔から外側までの距離を短くするように、外側に傾斜面又は曲面を有することを特徴とする請求項６又は７に記載の同軸ケーブル接続部材。
【請求項９】
同軸ケーブルと、
誘電体板と、当該誘電体板の一方の表面に設けられた信号導体と、当該誘電体板の他方の表面に設けられた基準導体と、を有し、前記同軸ケーブルの先端部に露出させた内部導体が接続される当該信号導体の端部と対向する部分に切欠き部が設けられた回路基板と、
前記同軸ケーブルと前記回路基板とを接続する同軸ケーブル接続部材と、を備え、
前記同軸ケーブル接続部材は、
前記同軸ケーブルを長手方向が前記回路基板の一方の表面に沿う方向に保持する保持部と、
前記回路基板の前記切欠き部に挿入される挿入部と、を備え、
前記保持部は、前記回路基板に対して前記同軸ケーブルの長手方向に面で接触する接触部を有し、
前記保持部が保持する前記同軸ケーブルの前記先端部に露出させた前記内部導体と、前記誘電体板の前記一方の表面に設けられた前記信号導体と、を接続させるとともに、
前記誘電体板の前記他方の表面に設けられた前記基準導体と、前記保持部が保持する前記同軸ケーブルにおいて露出させた外部導体と、を接続させる
ことを特徴とする通信回路。
【請求項１０】
同軸ケーブルと、
誘電体板と、当該誘電体板の一方の表面に設けられた信号導体と、当該誘電体板の他方の表面に設けられた基準導体と、を有し、前記同軸ケーブルの先端部に露出させた内部導体が接続される当該信号導体の端部と対向する部分に切欠き部が設けられた回路基板と、
前記同軸ケーブルと前記回路基板とを接続する同軸ケーブル接続部材と、
前記同軸ケーブル、前記回路基板及び前記同軸ケーブル接続部材を収納する筐体と、を備え、
前記同軸ケーブル接続部材は、
前記同軸ケーブルを長手方向が前記回路基板の一方の表面に沿う方向に保持する保持部と、
前記回路基板の前記切欠き部に挿入される挿入部と、を備え、
前記保持部は、前記回路基板に対して前記同軸ケーブルの長手方向に面で接触する接触部を有し、
前記保持部が保持する前記同軸ケーブルの前記先端部に露出させた前記内部導体と、前記誘電体板の前記一方の表面に設けられた前記信号導体と、を接続させるとともに、
前記誘電体板の前記他方の表面に設けられた前記基準導体と、前記保持部が保持する前記同軸ケーブルにおいて露出させた外部導体と、を接続させる
ことを特徴とする通信装置。
【発明の詳細な説明】
【技術分野】
【０００１】
本発明は、同軸ケーブル接続部材、通信回路及び通信装置に関する。
【背景技術】
【０００２】
電波を送受信するアンテナやアンテナが送受信する信号の位相を調整する移相器などは、プリント配線基板（ＰＣＢ：printed circuit board）（以下では回路基板と表記する。）上に構成されることが多い。これらの回路基板と電波を送受信する同軸ケーブルとは、高周波コネクタを介して接続されてきた。しかし、高周波コネクタは部材のコストが上がってしまうという問題があった。
そこで、回路基板の一方の表面に設けられた配線パタン（信号導体）に同軸ケーブルの内部導体を、回路基板の他方の表面に設けられた基準電圧（接地電圧、ＧＮＤ）が供給されるパタン（基準導体）に同軸ケーブルの外部導体を、はんだなどにより直接接続することが行われるようになってきた。
【０００３】
特許文献１には、回路基板に、同軸ケーブルの端末部が接続されるスリットと、回路基板の表面に形成された信号ラインと、回路基板の裏面に形成されたグランドと、回路基板の表面に形成され、グランドと電気的に独立した配線パターンと、回路基板のグランドに電気的に接続されたケーブルガイドと、を備え、同軸ケーブルの露出した内部導体が回路基板の信号ラインにはんだ付けされると共に、同軸ケーブルの露出した外部導体がケーブルガイドにはんだ付けされ、且つ、ケーブルガイドによって回路基板のグランドと配線パターンとが電気的に接続された同軸ケーブル接続構造が記載されている。
【先行技術文献】
【特許文献】
【０００４】
【特許文献１】特開２０１２−１８１９２６号公報
【発明の概要】
【発明が解決しようとする課題】
【０００５】
ところで、回路基板に同軸ケーブルを取り付ける場合、取り付け作業の簡易化に加え、接続によって生じる電圧定在波比（ＶＳＷＲ：voltage standing wave ratio）や通過特性などの信号の伝送特性（信号伝送特性）の劣化や、ばらつきの抑制が求められている。
本発明の目的は、取り付け作業の簡易化を図りつつ、接続によって生じる信号伝送特性の劣化やばらつきが抑制できる同軸ケーブル接続部材などを提供することにある。
【課題を解決するための手段】
【０００６】
かかる目的のもと、本発明が適用される同軸ケーブル接続部材は、同軸ケーブルを長手方向が回路基板の一方の表面に沿う方向に保持する保持部と、回路基板の切欠き部に挿入される挿入部と、を備え、保持部は、回路基板に対して同軸ケーブルの長手方向に面で接触する接触部を有し、保持部が保持する同軸ケーブルの先端部に露出させた内部導体と、回路基板の一方の表面に設けられた信号導体と、を接続させるとともに、回路基板の他方の表面に設けられた基準導体と、保持部が保持する同軸ケーブルにおいて露出させた外部導体と、を接続させる。
このような同軸ケーブル接続部材において、挿入部は、回路基板の一方の表面及び他方の表面を挟み込むように回路基板に挿入される挿入溝を備えていることを特徴とすることができる。
同軸ケーブルの露出させた内部導体が回路基板を介して対向するように、回路基板の切欠き部に挿入される側に張り出した張出部をさらに備えることを特徴とすることができる。
これにより、張出部を備えない場合に比べ、接続部分におけるインピーダンスの変動が抑制される。
また、同軸ケーブルが挿入される側に張り出した張出部をさらに備えることを特徴とすることができる。
これにより、張出部を備えない場合に比べ、取り付け作業がさらに簡略化できる。
【０００７】
また、このような同軸ケーブル接続部材において、挿入部は、回路基板に対して同軸ケーブルの長手方向と交差する方向に飛び出した凸部を有することを特徴とすることができる。
これにより、同軸ケーブル接続部材が回路基板に対して同軸ケーブルの長手方向にずれることが抑制される。
【０００８】
そして、保持部は、同軸ケーブルが挿入されて、同軸ケーブルを保持する貫通孔を備えていることを特徴とすることができる。
そしてまた、同軸ケーブルの露出させた外部導体を接続するためのはんだを供給する、貫通孔に達する開口をさらに備えることを特徴とすることができる。
これにより、開口を備えない場合に比べ、同軸ケーブルの外部導体と同軸ケーブル接続部材との接続が容易に行える。
さらに、貫通孔から外側までの距離を短くするように、外側に傾斜面又は曲面を有することを特徴とすることができる。
これにより、傾斜面又は曲面を有しない場合に比べ、同軸ケーブル接続部材の加熱のばらつきを抑止できる。
【０００９】
他の観点から捉えると、本発明が適用される通信回路は、同軸ケーブルと、誘電体板と、誘電体板の一方の表面に設けられた信号導体と、誘電体板の他方の表面に設けられた基準導体と、を有し、同軸ケーブルの先端部に露出させた内部導体が接続される信号導体の端部と対向する部分に切欠き部が設けられた回路基板と、同軸ケーブルと回路基板とを接続する同軸ケーブル接続部材と、を備え、同軸ケーブル接続部材は、同軸ケーブルを長手方向が回路基板の一方の表面に沿う方向に保持する保持部と、回路基板の切欠き部に挿入される挿入部と、を備え、保持部は、回路基板に対して同軸ケーブルの長手方向に面で接触する接触部を有し、保持部が保持する同軸ケーブルの先端部に露出させた内部導体と、誘電体板の一方の表面に設けられた信号導体と、を接続させるとともに、誘電体板の他方の表面に設けられた基準導体と、保持部が保持する同軸ケーブルにおいて露出させた外部導体と、を接続させる。
【００１０】
さらに他の観点から捉えると、本発明が適用される通信装置は、同軸ケーブルと、誘電体板と、誘電体板の一方の表面に設けられた信号導体と、誘電体板の他方の表面に設けられた基準導体と、を有し、同軸ケーブルの先端部に露出させた内部導体が接続される信号導体の端部と対向する部分に切欠き部が設けられた回路基板と、同軸ケーブルと回路基板とを接続する同軸ケーブル接続部材と、同軸ケーブル、回路基板及び同軸ケーブル接続部材を収納する筐体と、を備え、同軸ケーブル接続部材は、同軸ケーブルを長手方向が回路基板の一方の表面に沿う方向に保持する保持部と、回路基板の切欠き部に挿入される挿入部と、を備え、保持部は、回路基板に対して同軸ケーブルの長手方向に面で接触する接触部を有し、保持部が保持する同軸ケーブルの先端部に露出させた内部導体と、誘電体板の一方の表面に設けられた信号導体と、を接続させるとともに、誘電体板の他方の表面に設けられた基準導体と、保持部が保持する同軸ケーブルにおいて露出させた外部導体と、を接続させる。
【発明の効果】
【００１１】
本発明によれば、取り付け作業の簡易化を図りつつ、接続によって生じる信号伝送特性の劣化やばらつきが抑制できる同軸ケーブル接続部材などが提供できる。
【図面の簡単な説明】
【００１２】
【図１】第１の実施の形態における同軸ケーブル接続部材の一例を説明する図である。（ａ）は、正面図、（ｂ）は、平面図、（ｃ）は、側面図、（ｄ）は、斜視図である。
【図２】同軸ケーブル接続部材に取り付けられる回路基板の一例を説明する図である。（ａ）は、表面図、（ｂ）は、（ａ）、（ｃ）のＩＩＢ−ＩＩＢ線での断面図、（ｃ）は、裏面図である。
【図３】同軸ケーブル接続部材に取り付けられる同軸ケーブルの一例を示す図である。（ａ）は、側面図、（ｂ）は、（ａ）のＩＩＩＢ−ＩＩＩＢ線での断面図である。
【図４】同軸ケーブル接続部材と回路基板とを対向させた状態を説明する図である。
【図５】回路基板に同軸ケーブル接続部材を取り付けた状態を説明する図である。（ａ）は、回路基板の表面側から見た図、（ｂ）は、回路基板の裏面側から見た図である。
【図６】同軸ケーブル接続部材に同軸ケーブルを取り付ける方法及び取り付けた状態を説明する図である。（ａ）は、同軸ケーブル接続部材と同軸ケーブルとを対向させた状態、（ｂ）は、同軸ケーブル接続部材に同軸ケーブルを取り付けた状態を同軸ケーブル側から見た図、（ｃ）は同軸ケーブル接続部材に同軸ケーブルを取り付けた状態を回路基板側から見た図である。
【図７】同軸ケーブル接続部材を用いないで、回路基板に同軸ケーブルを接続する場合を説明する図である。（ａ）は、斜視図、（ｂ）は、側面図である。
【図８】同軸ケーブル接続部材を用いる場合と同軸ケーブル接続部材を用いない場合とで信号伝送特性に及ぼす影響を説明する断面図である。（ａ）は、同軸ケーブル接続部材を用いる場合、（ｂ）は、同軸ケーブル接続部材を用いない場合である。
【図９】実施例１の同軸ケーブル接続部材を用いて同軸ケーブルと回路基板とを接続した場合と、同軸ケーブル接続部材を用いないで同軸ケーブルと回路基板とを接続した場合（比較例）とにおける電圧定在波比（ＶＳＷＲ）を示す図である。
【図１０】実施例１の同軸ケーブル接続部材を用いて同軸ケーブルと回路基板とを接続した場合と、同軸ケーブル接続部材を用いないで同軸ケーブルと回路基板とを接続した場合（比較例）とにおける信号通過特性（Ｓ２１）を示す図である。
【図１１】信号分配器を説明する図である。（ａ）は、回路基板の表面側から見た図、（ｂ）は、回路基板の裏面側から見た図である。
【図１２】移相器を説明する図である。（ａ）は、回路基板の表面側から見た図、（ｂ）は、回路基板の裏面側から見た図である。
【図１３】アンテナ装置を説明する図である。（ａ）は、回路基板の表面側から見た図、（ｂ）は、回路基板の裏面側から見た図である。
【図１４】第２の実施の形態における同軸ケーブル接続部材の一例を説明する図である。（ａ）は、正面図、（ｂ）は、平面図、（ｃ）は、側面図、（ｄ）は、斜視図である。
【図１５】第３の実施の形態における同軸ケーブル接続部材の一例を説明する図である。（ａ）は、正面図、（ｂ）は、平面図、（ｃ）は、側面図、（ｄ）は、斜視図である。
【図１６】同軸ケーブル接続部材に同軸ケーブルを取り付ける方法及び取り付けた状態を説明する図である。（ａ）は、同軸ケーブル接続部材と同軸ケーブルとを対向させた状態、（ｂ）は、同軸ケーブル接続部材に同軸ケーブルを取り付けた状態を同軸ケーブル側から見た図、（ｃ）は、同軸ケーブル接続部材に同軸ケーブルを取り付けた状態を回路基板側から見た図である。
【図１７】第４の実施の形態における同軸ケーブル接続部材を説明する図である。（ａ）は、同軸ケーブル接続部材の正面図、（ｂ）は、（ａ）のＸＶＩＩＢ−ＸＶＩＩＢ線での第４の実施の形態における同軸ケーブル接続部材の断面図、（ｃ）は、（ａ）のＸＶＩＩＢ−ＸＶＩＩＢ線での第１の実施の形態における同軸ケーブル接続部材の断面図である。
【図１８】第５の実施の形態における同軸ケーブル接続部材の一例を説明する図である。（ａ）は、正面図、（ｂ）は、平面図、（ｃ）は、側面図、（ｄ）は、斜視図である。
【図１９】第６の実施の形態における同軸ケーブル接続部材の一例を説明する図である。（ａ）は、平面図、（ｂ）は、正面図、（ｃ）は、側面図、（ｄ）は、裏面図、（ｅ）は、斜視図である。
【図２０】同軸ケーブル接続部材が取り付けられる回路基板の一例を説明する図である。（ａ）は、表面図、（ｂ）は、（ａ）、（ｃ）のＸＸＢ−ＸＸＢ線での断面図、（ｃ）は裏面図である。
【図２１】同軸ケーブル接続部材により回路基板に同軸ケーブルを取り付けた状態を説明する図である。（ａ）は、回路基板の表面側から見た図、（ｂ）は、回路基板の裏面側から見た図である。
【図２２】実施例１の同軸ケーブル接続部材と実施例２の同軸ケーブル接続部材とをそれぞれ用いて、同軸ケーブルと厚さＴが０．８ｍｍの回路基板とを接続した場合の信号反射特性である。
【図２３】実施例１の同軸ケーブル接続部材と実施例２の同軸ケーブル接続部材とをそれぞれ用いて、同軸ケーブルと厚さＴが１．６ｍｍの回路基板とを接続した場合の信号反射特性である。
【図２４】同軸ケーブル接続部材の変形例を説明する図である。（ａ）は、挿入凸部の位置を、同軸ケーブル接続部材における同軸ケーブルの長手方向の中央に設けた場合、（ｂ）は、挿入凸部の位置を、同軸ケーブル接続部材における同軸ケーブルが挿入される側に設けた場合である。
【図２５】第７の実施の形態における同軸ケーブル接続部材の一例を説明する図である。（ａ）は、平面図、（ｂ）は、正面図、（ｃ）は、側面図、（ｄ）は、裏面図、（ｅ）は、斜視図である。
【発明を実施するための形態】
【００１３】
以下、添付図面を参照して、本発明の実施の形態について詳細に説明する。
［第１の実施の形態］
（同軸ケーブル接続部材１０）
図１は、第１の実施の形態における同軸ケーブル接続部材１０の一例を説明する図である。図１（ａ）は、正面図、図１（ｂ）は、平面図、図１（ｃ）は、側面図、図１（ｄ）は、斜視図である。
図１（ａ）の正面図において、紙面の左右方向を左右方向とし、左側及び右側と表記する。また、紙面の上下方向を上下方向とし、上側及び下側と表記する。また、図１（ｂ）の平面図において、紙面の上下方向を前後方向とし、前側及び後側と表記する。
【００１４】
同軸ケーブル接続部材１０の構成を、図１（ｄ）の斜視図に基づいて説明する。
同軸ケーブル接続部材１０は、点線で囲って示されている本体部１１と、本体部１１から張り出した張出部１７とを備えている。
本体部１１は、正面中央部に、同軸ケーブル３０（後述する図３参照）が挿入される貫通孔１２を備えている。貫通孔１２は、本体部１１を前後方向に貫通している（図１（ｃ）参照）。
また、貫通孔１２の左右方向の外側には、回路基板２０の切欠き部２４（後述する図２参照）が挿入される挿入溝部１３を備えている。挿入溝部１３は、貫通孔１２を挟むように、左右方向の２か所に挿入溝１３Ｃを備えている。挿入溝部１３は、下側の挿入溝部張出１３Ａと上側の挿入溝部張出１３Ｂとを備え、挿入溝部張出１３Ａと挿入溝部張出１３Ｂとの間が挿入溝１３Ｃになっている。一例として、挿入溝部１３の挿入溝部張出１３Ａの左右方向の張り出し量は、挿入溝部張出１３Ｂの左右方向の張り出し量より大きい。
なお、両側面に設けられた２か所の挿入溝１３Ｃは、左右方向で対称である。よって、一方の挿入溝部張出１３Ａ、挿入溝部張出１３Ｂ、挿入溝１３Ｃにのみ符号を付している。以下同様である。
本体部１１が、同軸ケーブル３０を保持する保持部の一例であり、挿入溝１３Ｃが挿入部の一例である。
そして、挿入溝部張出１３Ａと挿入溝部張出１３Ｂのいずれか一方又は両方が、回路基板２０の一方の表面（以下では表面と表記する。）又は他方の表面（以下では裏面と表記する。）の一方、乃至、両方に対して、同軸ケーブル３０の長手方向において面で接触する接触部である。
【００１５】
また、本体部１１は、貫通孔１２の上側にはんだを供給するための開口１５を有する開口部１４を備えている。開口１５は、前側の端部に至るが、後側の端部には達していない（図１（ｂ）参照）。ここでは、開口１５は、表面形状を一方が開いたＵ字状としたが、閉じた円形であってもよく、他の形状であってもよい。また、はんだの供給が貫通孔１２の入り口から行える場合には、開口１５を備えなくてもよい。
【００１６】
さらに、同軸ケーブル接続部材１０の上側の左側及び右側は、下側に向かって斜めになった傾斜面部１６となっている（図１（ａ）参照）。貫通孔１２を取り巻く肉厚の変動が少なくなるとともに、同軸ケーブル接続部材１０の熱容量が小さくなっている。
これにより、同軸ケーブル接続部材１０と同軸ケーブル３０の露出させた外部導体３３とのはんだ付けが容易にできるようになっている。これについては、後述する。
【００１７】
さらに、貫通孔１２は、同軸ケーブル接続部材１０の後側に近い部分が、貫通孔１２の直径が徐々に後側に向かって広がるテーパ状のテーパ面１２Ａとなっている（図１（ｃ）参照）。テーパ面１２Ａは、同軸ケーブル３０の挿入を容易にするために設けられている（後述する図６参照）。
【００１８】
以上説明したように、同軸ケーブル接続部材１０の本体部１１は、貫通孔１２、挿入溝部１３、開口部１４、傾斜面部１６を備えている。以下では、貫通孔１２、挿入溝部１３、開口部１４、傾斜面部１６を説明する場合、「本体部１１」を表記しないことがある。
【００１９】
そして、同軸ケーブル接続部材１０は、前側に張出部１７を備えている。そして、張出部１７の前側における左側の角及び右側の角が斜めになったコーナー面１７Ａになっている。すなわち、張出部１７の角は、鈍角になっている（図１（ｂ）参照）。
後述するように、コーナー面１７Ａを設けて、張出部１７の角を鈍角にすることにより、同軸ケーブル接続部材１０に回路基板２０を挿入する際において、回路基板２０の基準導体２３の剥離を抑制する。
なお、張出部１７を設けなくともよい。張出部１７を設けない場合には、本体部１１の挿入溝部１３を構成する挿入溝部張出１３Ａの前側の左側及び右側の角を斜めにしてコーナー面とすればよい。
【００２０】
同軸ケーブル接続部材１０の本体部１１（図１（ｄ）参照）の貫通孔１２に沿った長さがＭ（長さＭ）、張出部１７の本体部１１（図１（ｄ）参照）から張り出した長さがＮ（長さＮ）である。
貫通孔１２は、テーパ面１２Ａを除く部分の直径がＨ（内径Ｈ）である。挿入溝部１３の挿入溝１３Ｃは、上下方向の高さがＧ（高さＧ）、両側の挿入溝１３Ｃ間の間隔がＷ（間隔Ｗ）である。
ここでは、両側の挿入溝１３Ｃ間の間隔Ｗは、前後方向において一定であるとしている。しかし、前側と後側とで間隔が異なっていてもよい。また、挿入溝１３Ｃが斜めに設けられていてもよい。後述するように、同軸ケーブル接続部材１０の挿入溝部１３が回路基板２０の切欠き部２４と嵌合すればよい（後述する図５参照）。
【００２１】
同軸ケーブル接続部材１０は、一体に構成されている。よって、上記の本体部１１及び張出部１７は、連続している。なお、本体部１１の挿入溝部１３、開口部１４、傾斜面部１６及び張出部１７を区別するため、図１（ａ）、（ｂ）、（ｄ）において、一点鎖線で区切って示している。以下、同様である。
【００２２】
同軸ケーブル接続部材１０は、銅、真鍮、アルミニウム、亜鉛などの導電体材料で構成されている。同軸ケーブル接続部材１０は、導電体材料から削り出しにより製造できる。また、金型鋳造（ダイカスト）により製造することもできる。融点が低い亜鉛は、ダイカストによる同軸ケーブル接続部材１０の製造をより容易にする。
なお、はんだ付けを容易にするため、同軸ケーブル接続部材１０の表面は、錫めっき、金めっき、銀めっき等のめっき処理されることが好ましい。
【００２３】
（回路基板２０）
図２は、同軸ケーブル接続部材１０に取り付けられる回路基板２０の一例を説明する図である。図２（ａ）は、表面図、図２（ｂ）は、図２（ａ）、（ｃ）のＩＩＢ−ＩＩＢ線での断面図、図２（ｃ）は、裏面図である。
図２（ｂ）の断面図に示すように、回路基板２０は、誘電体板２１、誘電体板２１の表面（一方の表面）に設けられた信号が伝送される配線パタンである信号導体２２、誘電体板２１の裏面（他方の表面）に設けられた基準（接地、ＧＮＤ）電位が供給される基準（共通、接地、ＧＮＤ）導体２３を備えている。
【００２４】
そして、信号導体２２の一方の端に対向するように（部分に）、切欠き部２４が設けられている。切欠き部２４は、例えば、コ字状に設けられている。ここでは、切欠き部２４の側面２４Ａ、２４Ｂ、２４Ｃの内、対向する側面２４Ａ、２４Ｃが平行になっている。切欠き部２４の側面２４Ａ、２４Ｃが、同軸ケーブル接続部材１０における挿入溝部１３の挿入溝１３Ｃに沿って挿入される。
なお、前述したように、対向する側面２４Ａ、２４Ｃは、必ずしも平行でなくてもよい。
【００２５】
なお、信号導体２２及び基準導体２３は、誘電体板２１の縁から予め定められた距離離して設けられている。信号導体２２及び基準導体２３が誘電体板２１の縁まで延びていると、信号導体２２及び基準導体２３が誘電体板２１から剥離しやすいためである。なお、信号導体２２及び基準導体２３と誘電体板２１の縁との距離は、例えば０．５ｍｍである。
【００２６】
また、後述する同軸ケーブル接続部材１０を用いない場合と異なり、回路基板２０は、内部導体挿入孔を備えていない（後述する図７（ａ）、（ｂ）及び図８（ｂ）参照）。すなわち、回路基板２０は、内部導体挿入孔を設けるなどの特殊な加工を要しない。
切欠き部２４の幅をＳ（幅Ｓ）、切欠き部２４の深さをＵ（深さＵ）、誘電体板２１、信号導体２２、基準導体２３を合わせた厚さをＴ（厚さＴ）と表記する。
【００２７】
誘電体板２１は、セラミック、ＰＴＦＥ（ポリテトラフルオロエチレン）、ＰＰ（ポリプロピレン）、ガラスエポキシなどの誘電体材料で構成されている。また、信号導体２２及び基準導体２３は、誘電体板２１の表面及び裏面に張り付けた銅箔などで構成されている。すなわち、回路基板２０は、プリント配線板（ＰＣＢ）であってもよい。
【００２８】
（同軸ケーブル３０）
図３は、同軸ケーブル接続部材１０に取り付けられる同軸ケーブル３０の一例を示す図である。図３（ａ）は、側面図、図３（ｂ）は、図３（ａ）のＩＩＩＢ−ＩＩＩＢ線での断面図である。
図３（ｂ）の断面図に示すように、同軸ケーブル３０は、内部導体３１、内部導体３１を取り巻く誘電体３２、誘電体３２を取り巻く外部導体３３、外部導体３３を取り巻く外部被覆３４を備えている。
内部導体３１は、銅線などの導電体材料で構成されている。誘電体３２は、ＰＴＦＥ、ＰＥ（ポリエチレン）などの誘電体材料で構成されている。外部導体３３は、網組み銅線などの導電体材料で構成されている。なお、網組み銅線には、はんだ付けを容易にするように錫めっきが施されていてもよい。
そして、外部被覆３４は、ビニルなどで構成されている。
【００２９】
（回路基板２０への同軸ケーブル接続部材１０の取り付け方法）
次に、回路基板２０への同軸ケーブル接続部材１０の取り付け方法を説明する。
図４は、同軸ケーブル接続部材１０と回路基板２０とを対向させた状態を説明する図である。
図４に示すように、同軸ケーブル接続部材１０における貫通孔１２が設けられた上側が回路基板２０の信号導体２２が設けられた表面側に対応し、同軸ケーブル接続部材１０における張出部１７が設けられた下側が回路基板２０の基準導体２３が設けられた裏面側に対応する。
そして、同軸ケーブル接続部材１０の張出部１７が回路基板２０に対向するように配置される。
【００３０】
図５は、回路基板２０に同軸ケーブル接続部材１０を取り付けた状態を説明する図である。図５（ａ）は、回路基板２０の表面側から見た図、図５（ｂ）は、回路基板２０の裏面側から見た図である。
図５（ａ）、（ｂ）に示すように、回路基板２０の切欠き部２４に、同軸ケーブル接続部材１０における挿入溝部１３の挿入溝１３Ｃが挿入され、同軸ケーブル接続部材１０と回路基板２０とが嵌合している。そして、図５（ｂ）に示すように、回路基板２０の裏面の基準導体２３は、同軸ケーブル接続部材１０の挿入溝部張出１３Ａと重なっている。なお、回路基板２０の表面の信号導体２２は、同軸ケーブル接続部材１０と重ならない（後述する図６（ｃ）参照）。
【００３１】
そして、図５（ｂ）に示すように、回路基板２０の裏面の基準導体２３と同軸ケーブル接続部材１０とは、αで示す領域（領域α。以下同様とする。）において、はんだ付けされる。なお、領域αは、同軸ケーブル接続部材１０の回路基板２０側を取り巻いている。
【００３２】
（同軸ケーブル接続部材１０に同軸ケーブル３０を取り付ける方法）
次に、同軸ケーブル接続部材１０に同軸ケーブル３０を取り付ける方法を説明する。
図６は、同軸ケーブル接続部材１０に同軸ケーブル３０を取り付ける方法及び取り付けた状態を説明する図である。図６（ａ）は、同軸ケーブル接続部材１０と同軸ケーブル３０とを対向させた状態、図６（ｂ）は、同軸ケーブル接続部材１０に同軸ケーブル３０を取り付けた状態を同軸ケーブル３０側から見た図、図６（ｃ）は同軸ケーブル接続部材１０に同軸ケーブル３０を取り付けた状態を回路基板２０側から見た図である。
同軸ケーブル接続部材１０には、回路基板２０が既に取り付けられている。
【００３３】
図６（ａ）に示すように、同軸ケーブル接続部材１０における貫通孔１２の回路基板２０側とは反対側に、同軸ケーブル３０を対向させる。このとき、同軸ケーブル３０には、内部導体３１が露出した領域Ｉと、外部導体３３を露出した領域ＩＩとが形成されている。
【００３４】
図６（ｂ）に示すように、同軸ケーブル３０は、同軸ケーブル接続部材１０の貫通孔１２のテーパ面１２Ａから、貫通孔１２に挿入される。そして、同軸ケーブル３０の内部導体３１を露出させた領域Ｉが、回路基板２０の信号導体２２上に配置される。このとき、図６（ｃ）に示すように、同軸ケーブル３０は、内部導体３１を露出させた領域Ｉと外部導体３３を露出させた領域ＩＩとの境界が、回路基板２０の切欠き部２４に突き当たるように挿入される。
【００３５】
そして、図６（ｂ）に示すように、同軸ケーブル３０の外部導体３３と同軸ケーブル接続部材１０とは、同軸ケーブル３０を挿入した側の貫通孔１２を囲む領域βにおいて、はんだ付けされる。次に、同軸ケーブル３０の内部導体３１と回路基板２０の信号導体２２とは、同軸ケーブル３０の内部導体３１が回路基板２０の信号導体２２上に配置された領域γにおいて、はんだ付けされる。さらに、同軸ケーブル接続部材１０の開口１５からはんだを供給して（流し込んで）、開口１５の近傍の領域δにおいて、同軸ケーブル接続部材１０と同軸ケーブル３０の外部導体３３とがはんだ付けされる。
なお、貫通孔１２及び開口１５から供給されたはんだが、同軸ケーブル３０の露出させた外部導体３３に毛細管現象により侵入して、外部導体３３の全周にわたって同軸ケーブル接続部材１０とはんだ付けされることが好ましい。
【００３６】
このようにして、同軸ケーブル３０の内部導体３１が回路基板２０の信号導体２２に接続され、同軸ケーブル接続部材１０を介して、同軸ケーブル３０の外部導体３３が回路基板２０の基準導体２３に接続される。
なお、同軸ケーブル接続部材１０を用いて回路基板２０と同軸ケーブル３０とを接続する場合、同軸ケーブル接続部材１０の部分を接続部分と表記する。
【００３７】
ここで、同軸ケーブル接続部材１０を用いないで、回路基板２０に同軸ケーブル３０を接続する場合を説明する。
図７は、同軸ケーブル接続部材１０を用いないで、回路基板２０に同軸ケーブル３０を接続する場合を説明する図である。図７（ａ）は、斜視図、図７（ｂ）は、側面図である。なお、図７（ｂ）の側面図では、接続部分（内部導体挿入孔２５の部分）を断面図で示している。
【００３８】
図７（ａ）の斜視図及び図７（ｂ）の側面図に示すように、同軸ケーブル３０の露出させた内部導体３１は、回路基板２０に設けられた内部導体挿入孔２５を通過するように、回路基板２０の裏面側から表面側に折り曲げられている。そして、図７（ｂ）に示すように、同軸ケーブル３０の内部導体３１と回路基板２０の表面に設けられた信号導体２２とは、回路基板２０の表面側に突き出た内部導体３１の先端部分を含む領域εにおいて、はんだ付けされる。さらに、露出させた外部導体３３と回路基板２０の基準導体２３とは、同軸ケーブル３０の外部導体３３を露出させた領域ζにおいて、はんだ付けされる。
なお、同軸ケーブル３０は、外部被覆３４が結束バンドなどの固定部材４０にて回路基板２０に固定されている。
【００３９】
（信号伝送特性に及ぼす影響）
図８は、同軸ケーブル接続部材１０を用いる場合と同軸ケーブル接続部材１０を用いない場合とで信号伝送特性に及ぼす影響を説明する断面図である。図８（ａ）は、同軸ケーブル接続部材１０を用いる場合、図８（ｂ）は、同軸ケーブル接続部材１０を用いない場合である。
図８（ａ）に示すように、同軸ケーブル接続部材１０を用いる場合、同軸ケーブル３０は、同軸ケーブル接続部材１０の貫通孔１２を通過し、露出させた内部導体３１が同軸ケーブル接続部材１０から飛び出して、回路基板２０の信号導体２２上に載っている。このとき、露出させた内部導体３１は、折り曲げられることなく、真っ直ぐに延びている。
【００４０】
そして、同軸ケーブル接続部材１０の挿入溝部張出１３Ａ及び張出部１７と回路基板２０の基準導体２３とは、領域αにおいて、はんだ付けされている。また、同軸ケーブル接続部材１０と同軸ケーブル３０の外部導体３３とは、領域β及び領域δにおいて、はんだ付けされている。そして、同軸ケーブル３０の内部導体３１と回路基板２０の信号導体２２とは、領域γにおいて、はんだ付けされている。
【００４１】
図２において説明したように、回路基板２０において、信号導体２２及び基準導体２３は、誘電体板２１の端から予め定められた距離を離して設けられている。したがって、切欠き部２４の側面２４Ｂ（図２（ａ）、（ｂ）参照）においても回路基板２０の信号導体２２と基準導体２３とは、回路基板２０の端から離れて設けられている。
したがって、図８（ａ）に符号Ｐで示す部分（以下では、Ｐ部分と表記する。）では、回路基板２０の表面側及び裏面側に導体がない。
しかし、同軸ケーブル接続部材１０は、基準導体２３に達するように回路基板２０側に張り出した張出部１７を備えている。そして、張出部１７は、回路基板２０の基準導体２３にはんだ付けされている。したがって、同軸ケーブル３０のＰ部分は、回路基板２０を挟んで基準電位が供給される張出部１７と対向することになる。すなわち、同軸ケーブル３０のＰ部分は、張出部１７とともに等価的にストリップライン（線路）を形成している。
よって、同軸ケーブル接続部材１０を用いる場合、同軸ケーブル３０と回路基板２０との接続によって生じるインピーダンスの変動が抑制される。
【００４２】
また、同軸ケーブル接続部材１０を用いる場合、内部導体３１を折り曲げないので、取り付け作業が容易になり、取り付け作業におけるばらつきを生じない。
【００４３】
一方、図８（ｂ）に示す同軸ケーブル接続部材１０を用いない場合、露出した内部導体３１の符号Ｑで示す部分（以下では、Ｑ部分と表記する。）は、対向する基準導体２３が近くになく、また、内部導体３１を折り曲げていることで、電気力線が複雑な形状となるだけでなく、内部導体３１と基準導体２３との距離が一定でなくなる。さらに、内部導体３１は、回路基板２０を裏面側から表面側へ内部導体挿入孔２５を貫通している。よって、内部導体挿入孔２５を貫通する部分では、誘電体材料で構成された誘電体板２１の影響を受ける。
よって、同軸ケーブル接続部材１０を用いない場合には、インピーダンスが変動する要因が多く存在する。
【００４４】
また、同軸ケーブル接続部材１０を用いない場合、取り付け作業に内部導体３１を折り曲げる工程を伴う。このとき、内部導体３１の曲がり具合は、折り曲げる工程毎に微妙な差を生じる。すなわち、曲げ具合などがばらつきやすい。このため、接続部分でのインピーダンスが折り曲げ工程毎に変動しやすい。
【００４５】
水滴等によるインピーダンスの変動を抑制するため、Ｑ部分にシリコーン樹脂などの誘電体材料を塗布してシーリングして、インピーダンスの変動を減らすことが行われる。しかし、シーリングの工程が増えるとともに、インピーダンスの変動を十分に抑制できない。
また、同軸ケーブル３０を結束バンドなどの固定部材４０で回路基板２０に固定しても、同軸ケーブル３０は、微小な範囲において動いてしまう。
これらは、信号伝送特性にばらつきを発生させる。
【００４６】
以上のように、同軸ケーブル接続部材１０を用いて回路基板２０と同軸ケーブル３０とを接続する場合の方が、同軸ケーブル接続部材１０を用いないで接続する場合に比べ、インピーダンスなど信号伝送特性に影響を与える要因が少ない。また、シーリングを必要としないため、取り付け作業が簡略化される。
【００４７】
次に、同軸ケーブル接続部材１０を用いる場合の取り付け方法における工程について説明する。
前述したように、まず、同軸ケーブル接続部材１０に回路基板２０を取り付ける工程が行われる。ここでは、同軸ケーブル接続部材１０に回路基板２０が挿入される（図５（ａ）、（ｂ）参照）。このとき、図５（ｂ）に示したように、回路基板２０の裏面側を上にして（裏返して）、回路基板２０の基準導体２３と同軸ケーブル接続部材１０の挿入溝部張出１３Ａ及び張出部１７とが、領域αにおいて、はんだ付けされる。
次に、同軸ケーブル接続部材１０に同軸ケーブル３０を取り付ける工程が行われる。ここでは、回路基板２０の表面側を上にして（引っ繰り返して）、同軸ケーブル３０が挿入される（図６（ａ）参照）。そして、同軸ケーブル３０の外部導体３３と同軸ケーブル接続部材１０とが、領域βにおいて、はんだ付けされる。ついで、同軸ケーブル３０の予め露出させた内部導体３１と回路基板２０の信号導体２２とが、領域γにおいて、はんだ付けされる。さらに、同軸ケーブル接続部材１０の開口１５から、はんだを供給して、同軸ケーブル接続部材１０と同軸ケーブル３０の外部導体３３とが、領域δにおいて、はんだ付けされる（図６（ｂ）、（ｃ）参照）。
【００４８】
ここでは、同軸ケーブル接続部材１０を回路基板２０に取り付ける際には、回路基板２０の裏面側を上にして（裏返して）、同軸ケーブル接続部材１０と回路基板２０とをはんだ付けする。次に、同軸ケーブル３０を取り付ける際には、回路基板２０の表面側を上にして（引っ繰り返して）、同軸ケーブル３０と同軸ケーブル接続部材１０及び回路基板２０とをはんだ付けする。
すなわち、同軸ケーブル接続部材１０を用いると、取り付け工程において、回路基板２０を引っ繰り返す回数が１回ですむ。
【００４９】
（信号伝送特性）
次に、同軸ケーブル接続部材１０（実施例１と表記する。）を用いて、回路基板２０と同軸ケーブル３０とを接続した場合と、同軸ケーブル接続部材１０を用いない（比較例と表記する）で、回路基板２０と同軸ケーブル３０とを接続した場合とにおける信号伝送特性を説明する。
【００５０】
実施例１の同軸ケーブル接続部材１０は、本体部１１の長さＭが５．０ｍｍ、張出部１７の長さＮが１．８ｍｍ、貫通孔１２の内径Ｈが３．８ｍｍ、挿入溝１３Ｃの高さＧが１．６ｍｍ、挿入溝１３Ｃ間の間隔Ｗが４．６ｍｍである。
そして、回路基板２０の厚さＴが１．５ｍｍ、切欠き部２４の幅Ｓが４．８ｍｍ、切欠き部２４の深さＵが５．０ｍｍである。
同軸ケーブル３０における外部導体３３の直径Ｄが３．６ｍｍである。
すなわち、同軸ケーブル接続部材１０の挿入溝１３Ｃの高さＧは、回路基板２０の厚さＴより０．１ｍｍ大きい。また、挿入溝１３Ｃ間の間隔Ｗは、回路基板２０の切欠き部２４の幅Ｓより０．２ｍｍ小さい。さらに、貫通孔１２の内径Ｈは、同軸ケーブル３０の外部導体３３の直径Ｄより０．２ｍｍ大きい。これらのマージンにより、同軸ケーブル接続部材１０の挿入溝１３Ｃに回路基板２０が容易に挿入でき、同軸ケーブル接続部材１０の貫通孔１２に同軸ケーブル３０が容易に挿入できる。
【００５１】
図９は、実施例１の同軸ケーブル接続部材１０を用いて同軸ケーブル３０と回路基板２０とを接続した場合と、同軸ケーブル接続部材１０を用いないで同軸ケーブル３０と回路基板２０とを接続した場合（比較例）とにおける電圧定在波比（ＶＳＷＲ）を示す図である。横軸は周波数（ＧＨｚ）、縦軸はＶＳＷＲである。ＶＳＷＲは１．０に近いほど好ましい。
ここでは、実施例１の同軸ケーブル接続部材１０を用いて同軸ケーブル３０と回路基板２０とを接続した場合と同軸ケーブル接続部材１０を用いないで同軸ケーブル３０と回路基板２０とを接続した場合（比較例）とで、同じ伝送線路長となるように回路基板２０上に信号導体２２（伝送線路）を設定した。
実施例１の同軸ケーブル接続部材１０を用いて同軸ケーブル３０と回路基板２０とを接続した場合では、図６（ｂ）、（ｃ）、図８（ａ）に示したように、回路基板２０の入力側及び出力側に、同軸ケーブル接続部材１０を用いて、同軸ケーブル３０を接続した。
同軸ケーブル接続部材１０を用いないで同軸ケーブル３０と回路基板２０とを接続した場合（比較例）では、図７（ａ）、（ｂ）及び図８（ｂ）に示したように、回路基板２０の入力側及び出力側に、同軸ケーブル接続部材１０を用いずに、同軸ケーブル３０を接続した。
【００５２】
図９に示すＶＳＷＲには、変動が見られる。これは、伝送線路長が波長より大きく設定されているためである。しかし、測定した周波数範囲において、実施例１のＶＳＷＲは、比較例に比べて、ＶＳＷＲが全体に小さく抑えられている。
実施例１の同軸ケーブル接続部材１０を用いて同軸ケーブル３０と回路基板２０とを接続した場合では、同軸ケーブル接続部材１０を用いないで同軸ケーブル３０と回路基板２０とを接続した場合（比較例）に比べて、同軸ケーブル３０と回路基板２０との接続部分によって生じるインピーダンスの変動が抑制されているためと考えられる。
【００５３】
図１０は、実施例１の同軸ケーブル接続部材１０を用いて同軸ケーブル３０と回路基板２０とを接続した場合と、同軸ケーブル接続部材１０を用いないで同軸ケーブル３０と回路基板２０とを接続した場合（比較例）とにおける通過特性である。横軸は周波数（ＧＨｚ）、縦軸は、通過特性を表すＳパラメータのＳ２１（ｄＢ）である。Ｓ２１は大きいほど好ましい。
図１０に示すように、２ＧＨｚ未満の低周波数側では、Ｓ２１は、実施例１の同軸ケーブル接続部材１０を用いて同軸ケーブル３０と回路基板２０とを接続した場合と同軸ケーブル接続部材１０を用いないで同軸ケーブル３０と回路基板２０とを接続した場合（比較例）とで差が見られない。しかし、２ＧＨｚ以上の高周波数側では、Ｓ２１は、実施例１の同軸ケーブル接続部材１０を用いて同軸ケーブル３０と回路基板２０とを接続した場合の方が同軸ケーブル接続部材１０を用いないで同軸ケーブル３０と回路基板２０とを接続した場合（比較例）に比べて大きくなっている。
実施例１の同軸ケーブル接続部材１０を用いて同軸ケーブル３０と回路基板２０とを接続した場合では、同軸ケーブル接続部材１０を用いないで同軸ケーブル３０と回路基板２０とを接続した場合（比較例）に比べて、同軸ケーブル３０と回路基板２０との接続部分におけるインピーダンスの変動が少ないため反射が少なく、又、内部導体３１のみが露出される部分（マイクロストリップ線路を構成していない部分）が少ないため、外部に放射されるエネルギが少ないことによると考えられる。
【００５４】
（通信回路及び通信装置）
次に、同軸ケーブル接続部材１０を用いて回路基板２０と同軸ケーブル３０とを接続した通信回路及び通信回路を筐体に収納した通信装置について説明する。
【００５５】
図１１は、信号分配器１００を説明する図である。図１１（ａ）は、回路基板２０の表面側から見た図、図１１（ｂ）は、回路基板２０の裏面側から見た図である。なお、回路基板２０、同軸ケーブル３０及び同軸ケーブル接続部材１０が見えるように、筐体１１０を破線で示している。
信号分配器１００は、通信装置の一例である。
【００５６】
図１１（ａ）、（ｂ）に示した信号分配器１００は、回路基板２０、同軸ケーブル３０、同軸ケーブル接続部材１０を備えている。回路基板２０における誘電体板２１の表面には、一端がＩＮの同軸ケーブル３０に接続され、他の４つの端がＯＵＴ１〜ＯＵＴ４の同軸ケーブル３０に接続された信号導体２２が設けられている。すなわち、信号導体２２は、５つの端部を有している。そして、回路基板２０における誘電体板２１の裏面には、基準導体２３が設けられている。誘電体板２１を挟んで設けられた基準導体２３と信号導体２２とでマイクロストリップラインを構成する。
なお、信号導体２２は、ＩＮの同軸ケーブル３０に接続された端部から、ＯＵＴ１〜ＯＵＴ４の同軸ケーブル３０に接続されたそれぞれの端部までの距離（伝送線路長）が同じになっている。
そして、回路基板２０と同軸ケーブル３０とは、同軸ケーブル接続部材１０を介して接続されている。
【００５７】
図１１（ａ）、（ｂ）に示した信号分配器１００は、ＩＮの同軸ケーブル３０に入力された信号を、ＯＵＴ１〜ＯＵＴ４の同軸ケーブル３０に分配して出力する。なお、図１１（ａ）、（ｂ）に示す信号導体２２のパタンは、インピーダンス整合を考慮していない。
【００５８】
図１２は、移相器２００を説明する図である。図１２（ａ）は、回路基板２０の表面側から見た図、図１２（ｂ）は、回路基板２０の裏面側から見た図である。なお、回路基板２０、同軸ケーブル３０及び同軸ケーブル接続部材１０が見えるように、筐体２１０を破線で示している。
移相器２００は、通信装置の他の一例である。
【００５９】
図１２（ａ）、（ｂ）に示した移相器２００は、回路基板２０、同軸ケーブル３０、同軸ケーブル接続部材１０、アーム２２０を備えている。回路基板２０における誘電体板２１の表面には、ＩＮの同軸ケーブル３０に接続される信号導体２２Ａと、直径が異なる半円形の信号導体２２Ｂ、２２Ｃとが設けられている。回路基板２０における誘電体板２１の裏面には、基準導体２３が設けられている。誘電体板２１を挟んで設けられた基準導体２３と信号導体２２Ａ、２２Ｂ、２２Ｃとでマイクロストリップラインを構成する。
そして、回路基板２０と同軸ケーブル３０とは、同軸ケーブル接続部材１０を介して接続されている。
【００６０】
移相器２００は、ＩＮの同軸ケーブル３０に入力された信号を、位相を遅らせてＯＵＴ１〜ＯＵＴ４の同軸ケーブル３０に出力する。すなわち、信号は、ＩＮの同軸ケーブル３０に接続された信号導体２２Ａから、アーム２２０を介して、信号導体２２Ｂ、２２Ｃに伝送される。このとき、信号が伝送される伝送線路の長さの違いによって位相差が生じ、位相差の異なる信号となって、信号導体２２Ｂ、２２Ｃに接続されたＯＵＴ１〜ＯＵＴ４の同軸ケーブル３０から出力される。
なお、図１２（ａ）、（ｂ）に示す信号導体２２（信号導体２２Ａ、２２Ｂ、２２Ｃ）のパタンは、インピーダンス整合を考慮していない。
【００６１】
図１３は、アンテナ装置３００を説明する図である。図１３（ａ）は、回路基板２０の表面側から見た図、図１３（ｂ）は、回路基板２０の裏面側から見た図である。なお、回路基板２０、同軸ケーブル３０及び同軸ケーブル接続部材１０が見えるように、筐体（レドーム）３１０を破線で示している。
アンテナ装置３００は、通信装置のさらに他の一例である。
【００６２】
図１３（ａ）、（ｂ）に示したアンテナ装置３００は、回路基板２０、同軸ケーブル３０、同軸ケーブル接続部材１０を備えている。回路基板２０における誘電体板２１の表面には、ＩＮ／ＯＵＴの同軸ケーブル３０の内部導体３１に接続される信号導体２２が設けられている。回路基板２０における誘電体板２１の裏面には、基準導体２３が設けられている。誘電体板２１を挟んで設けられた基準導体２３と信号導体２２とでマイクロストリップラインを構成する。ここでは、回路基板２０における信号導体２２及び基準導体２３は、ダイポールアンテナを構成する。
そして、回路基板２０と同軸ケーブル３０とは、同軸ケーブル接続部材１０を介して接続されている。
【００６３】
アンテナ装置３００は、ＩＮ／ＯＵＴの同軸ケーブル３０に入力された信号に基づいて、電波を送信する。また、受信した電波に基づいて、ＩＮ／ＯＵＴの同軸ケーブル３０に信号を出力する。
【００６４】
なお、図１３（ａ）、（ｂ）に示すアンテナ装置３００は、ダイポールアンテナを一つ備えているが、複数のダイポールアンテナを備えていてもよい。また、反射板を備えていてもよい。
そして、アンテナ装置３００は、ダイポールアンテナと異なるアンテナを備えていてもよい。
【００６５】
以上、通信回路及び通信装置を説明したが、回路基板２０と同軸ケーブル３０とを接続して使用するものであれば、上記以外の機能を有する通信回路及び通信装置であってもよい。
【００６６】
なお、図１１、１２、１３に示した同軸ケーブル接続部材１０を用いて接続された回路基板２０及び同軸ケーブル３０が通信回路の一例である。
【００６７】
［第２の実施の形態］
第１の実施の形態における同軸ケーブル接続部材１０は、上側の右側及び左側を傾斜面部１６とした。これは、開口１５の周囲の肉厚を薄くし、同軸ケーブル接続部材１０が均一に加熱されるようにするためである。つまり、開口１５からはんだを供給すると、同軸ケーブル接続部材１０の開口１５の周囲が均一に加熱されることで、はんだが毛細管現象により同軸ケーブル３０の外部導体３３に侵入し、外部導体３３が全周において、同軸ケーブル接続部材１０とはんだ付けされるようにしていた（図６（ｂ）、（ｃ）における領域δ）。
第２の実施の形態では、同軸ケーブル接続部材１０の開口１５の周囲の形状を第１の実施の形態と異なる形状にしている。
【００６８】
図１４は、第２の実施の形態における同軸ケーブル接続部材１０の一例を説明する図である。図１４（ａ）は、正面図、図１４（ｂ）は、平面図、図１４（ｃ）は、側面図、図１４（ｄ）は、斜視図である。
第２の実施の形態における同軸ケーブル接続部材１０は、第１の実施の形態における開口部１４及び傾斜面部１６の代わりに、開口１５を有し、貫通孔１２と同心の半円筒状の曲面部１８を備えている。なお、他の構成は、図１で示した第１の実施の形態における同軸ケーブル接続部材１０と同様であるので、同じ符号を付して説明を省略する。
半円筒状の曲面部１８の形状は、必ずしも貫通孔１２と同心でなくともよく、なだらかな曲面であってもよい。
【００６９】
このようにすることで、同軸ケーブル接続部材１０は、貫通孔１２の周囲の肉厚の差がより小さくなって、均一に加熱されるようになる。つまり、開口１５からはんだを供給すると、同軸ケーブル接続部材１０の開口１５の周囲が均一に加熱され、はんだが毛細管現象により同軸ケーブル３０の外部導体３３に侵入し、外部導体３３が全周において、同軸ケーブル接続部材１０とはんだ付けされる（図６（ｂ）、（ｃ）参照）。
【００７０】
なお、第２の実施の形態における同軸ケーブル接続部材１０は、第１の実施の形態で説明した通信回路及び通信装置に適用できる。
【００７１】
［第３の実施の形態］
第１の実施の形態及び第２の実施の形態では、同軸ケーブル接続部材１０は、回路基板２０が挿入される側に、張出部１７を備えていた。
第３の実施の形態における同軸ケーブル接続部材１０は、同軸ケーブル３０が挿入される側にも、張出部を備えている。
【００７２】
図１５は、第３の実施の形態における同軸ケーブル接続部材１０の一例を説明する図である。図１５（ａ）は、正面図、図１５（ｂ）は、平面図、図１５（ｃ）は、側面図、図１５（ｄ）は、斜視図である。
第３の実施の形態における同軸ケーブル接続部材１０は、図１に示した第１の実施の形態における同軸ケーブル接続部材１０に、張出部１９をさらに設けている。張出部１９は、貫通孔１２に対して、張出部１７と反対側に設けられている。なお、他の構成は、図１で示した第１の実施の形態における同軸ケーブル接続部材１０と同様であるので、同じ符号を付して説明を省略する。
【００７３】
第３の実施の形態における同軸ケーブル接続部材１０の張出部１９も、同軸ケーブル接続部材１０として一体に構成されている。よって、図１５（ａ）、（ｂ）、（ｃ）では、張出部１９も、一点鎖線で区切って示している。
【００７４】
図１６は、同軸ケーブル接続部材１０に同軸ケーブル３０を取り付ける方法及び取り付けた状態を説明する図である。図１６（ａ）は、同軸ケーブル接続部材１０と同軸ケーブル３０とを対向させた状態、図１６（ｂ）は、同軸ケーブル接続部材１０に同軸ケーブル３０を取り付けた状態を同軸ケーブル３０側から見た図、図１６（ｃ）は、同軸ケーブル接続部材１０に同軸ケーブル３０を取り付けた状態を回路基板２０側から見た図である。
同軸ケーブル接続部材１０には、回路基板２０が既に取り付けられている。
【００７５】
図１６（ａ）に示すように、同軸ケーブル接続部材１０における貫通孔１２の回路基板２０とは反対側に、同軸ケーブル３０を対向させる。このとき、張出部１９が同軸ケーブル３０側に張り出している。
【００７６】
図１６（ｂ）に示すように、同軸ケーブル接続部材１０の貫通孔１２のテーパ面１２Ａ側から、同軸ケーブル３０が貫通孔１２に挿入される。そして、同軸ケーブル３０の内部導体３１を露出させた部分が、回路基板２０の信号導体２２上に配置される。そして、外部導体３３を露出させた部分が、回路基板２０の張出部１９上に配置される。
次に、第１の実施の形態における同軸ケーブル接続部材１０と同様に、領域βにおいて、はんだ付けされる。
【００７７】
領域βにおけるはんだ付けは、同軸ケーブル３０の全周にわたって行われることが好ましい。つまり、同軸ケーブル接続部材１０の貫通孔１２の同軸ケーブル３０を挿入した端部と、同軸ケーブル３０の外部導体３３とが、全周において、はんだ付けされることが好ましい。
【００７８】
図６に示した、第１の実施の形態における同軸ケーブル接続部材１０のように、張出部１９を備えない場合、上側から領域βにはんだを供給してはんだ付けすると、上側からでは目視できない下側にはんだが回ったか否かが判断しづらい。したがって、回路基板２０を裏返して、下側にはんだが回ったか否かを判断することが必要となるおそれがある。
すなわち、回路基板２０に同軸ケーブル３０を取り付ける作業が複雑になってしまう。
【００７９】
しかし、張出部１９を備えれば、はんだが下側に回ると、はんだが張出部１９上にはみ出してくる。よって、下側にはんだが回ったか否かの判断が容易になる。このために、回路基板２０を裏返すことを要しない。
よって、回路基板２０に同軸ケーブル３０を取り付ける作業が簡易になる。
【００８０】
なお、第３の実施の形態における同軸ケーブル接続部材１０を、第１の実施の形態で説明した通信回路及び通信装置に適用できる。
また、第３の実施の形態における同軸ケーブル接続部材１０を、第２の実施の形態における同軸ケーブル接続部材１０と同様に、上側を曲面部１８としてもよい。
【００８１】
［第４の実施の形態］
第１の実施の形態から第３の実施の形態における同軸ケーブル接続部材１０では、貫通孔１２は、テーパ面１２Ａを除いて、内径Ｈであるとした。そして、露出させた外部導体３３が、貫通孔１２の内面と対向するようにした。
第４の実施の形態における同軸ケーブル接続部材１０は、貫通孔１２の形状が異なっている。よって、以下では、異なる部分を説明し、同様な部分の説明を省略する。
【００８２】
図１７は、第４の実施の形態における同軸ケーブル接続部材１０を説明する図である。図１７（ａ）は、同軸ケーブル接続部材１０の正面図、図１７（ｂ）は、図１７（ａ）のＸＶＩＩＢ−ＸＶＩＩＢ線での第４の実施の形態における同軸ケーブル接続部材１０の断面図、図１７（ｃ）は、図１７（ａ）のＸＶＩＩＢ−ＸＶＩＩＢ線での第１の実施の形態における同軸ケーブル接続部材１０の断面図である。なお、図１７（ｂ）及び図１７（ｃ）では、同軸ケーブル３０を合わせて示している。
【００８３】
図１７（ａ）に示すように、第４の実施の形態における同軸ケーブル接続部材１０の正面図は、大略において、図１（ａ）に示した第１の実施の形態と同じである。
図１７（ｂ）に示すように、第４の実施の形態における同軸ケーブル接続部材１０の貫通孔１２は、前後方向において、直径が２段になっている。すなわち、後側が内径Ｈ１、前側が内径Ｈ２であって、内径Ｈ１が内径Ｈ２より大きい。
そして、貫通孔１２の後側の内径Ｈ１の部分に、同軸ケーブル３０の外部導体３３の露出された部分が対向し、前側の内径Ｈ２の部分に、誘電体３２が露出された部分が対向する。すなわち、内径Ｈ１と内径Ｈ２との差は、外部導体３３の厚さに対応して設定される。
【００８４】
なお、図１７（ｃ）に示すように、第１の実施の形態における同軸ケーブル接続部材１０の貫通孔１２は、内径Ｈ（＝内径Ｈ１）の１段である。すなわち、貫通孔１２には、同軸ケーブル３０の外部導体３３が露出した部分が対向する。
このため、誘電体３２の端面と外部導体３３の端面とが、同じ平面内にあるように、内部導体３１を露出させることになる。外部導体３３が網組み銅線などである場合には、網組されていた銅線が解れて、内部導体３１に接触するおそれがある。
【００８５】
これに対し、図１７（ｂ）で示した第４の実施の形態の同軸ケーブル接続部材１０では、誘電体３２を露出させた部分（図１７（ｂ）のＬ２で示す部分）を備えるので、例え、外部導体３３の網組み銅線が解れても、内部導体３１に接触することがより抑制される。
【００８６】
外部導体３３を露出させる部分（図１７（ｂ）のＬ１で示す部分）と誘電体３２を露出させる部分（図１７（ｂ）のＬ２で示す部分）との割合は、取り付けの容易性と、信号伝送特性とで設定すればよい。
外部導体３３を露出させる部分の長さＬ１、誘電体３２を露出させる部分の長さＬ２、及び内部導体３１を露出させる部分の長さＬ３は、再現よく設定できる。なお、第１の実施の形態の同軸ケーブル接続部材１０では、外部導体３３を露出させる部分の長さＬは、第４の実施の形態の外部導体３３を露出させる部分の長さＬ１と誘電体３２を露出させる部分の長さＬ２との和になる。
【００８７】
第４の実施の形態における貫通孔１２の直径を２段に設定した同軸ケーブル接続部材１０を、第１の実施の形態から第３の実施の形態に適用してもよい。
【００８８】
［第５の実施の形態］
第１の実施の形態における同軸ケーブル接続部材１０の本体部１１は、開口１５が設けられた開口部１４を備えていた。
第５の実施の形態における同軸ケーブル接続部材１０の本体部１１は、開口部１４を備えていない。同軸ケーブル接続部材１０を除く他の構成は、第１の実施の形態と同様であるので、ここでは同軸ケーブル接続部材１０を説明する。
【００８９】
（同軸ケーブル接続部材１０）
図１８は、第５の実施の形態における同軸ケーブル接続部材１０の一例を説明する図である。図１８（ａ）は、正面図、図１８（ｂ）は、平面図、図１８（ｃ）は、側面図、図１８（ｄ）は、斜視図である。
第５の実施の形態における同軸ケーブル接続部材１０は、第１の実施の形態における同軸ケーブル接続部材１０の本体部１１において、開口部１４を備えていないため、左右方向に設けられた一対の傾斜面部１６の間が、開口１５になっている。よって、同軸ケーブル３０が保持される部分は、貫通孔１２ではなく保持溝１２′になっている。
ここでは、本体部１１が保持部の一例である。
同軸ケーブル接続部材１０における他の構成は、第１の実施の形態における同軸ケーブル接続部材１０と同様であるので、詳細な説明を省略する。
【００９０】
第１の実施の形態における同軸ケーブル接続部材１０では、開口部１４が同軸ケーブル３０の外部導体３３の表面の一部を覆っていた。第５の実施の形態における同軸ケーブル接続部材１０では、同軸ケーブル３０の外部導体３３の表面の一部を覆う開口部１４を備えていないため、同軸ケーブル接続部材１０と同軸ケーブル３０の外部導体３３とのはんだ付けがさらに容易になる（第１の実施の形態で示した図６（ｂ）、（ｃ）参照）。
【００９１】
保持溝１２′は、同軸ケーブル３０の外部導体３３が保持されるように設けられていればよい。同軸ケーブル３０が上下方向（図１８（ａ）、（ｂ）、（ｄ）参照）にずれて固定されることを抑制するため、保持溝１２′の上側に傾斜面部１６が張り出すように設けられていてもよい。すなわち、左右方向に位置する傾斜面部１６の間の距離が、同軸ケーブル３０の外部導体３３の直径（外径）より小さくてもよい。
【００９２】
なお、第１の実施の形態における同軸ケーブル接続部材１０のように開口部１４を備えると、回路基板２０及び同軸ケーブル３０を取り付ける前において、同軸ケーブル接続部材１０の傾斜面部１６の間の距離が機械的な外力を受けて変動することが抑制される。
【００９３】
また、開口部１４を備えない構成を、第３の実施の形態における同軸ケーブル接続部材１０に適用してもよい。
そして、第２の実施の形態における同軸ケーブル接続部材１０と同様に、傾斜面部１６の表面を曲面にしてもよい。
さらに、第４の実施の形態における同軸ケーブル接続部材１０と同様に、貫通孔１２の直径（内径）を複数に設定してもよい。
【００９４】
［第６の実施の形態］
第１の実施の形態から第４の実施の形態における同軸ケーブル接続部材１０は、挿入溝部１３を備えている（図１参照）。そして、挿入溝部１３の挿入溝１３Ｃに回路基板２０の切欠き部２４が挿入される（図４、図５参照）。すなわち、挿入溝１３Ｃの高さＧは、回路基板２０の厚さＴに対応するように設定されている。
このため、回路基板２０の厚さＴ毎に、挿入溝１３Ｃの高さＧが異なる同軸ケーブル接続部材１０を用意することになる。
第６の実施の形態における同軸ケーブル接続部材１０は、厚さＴの異なる回路基板２０に対応する。同軸ケーブル接続部材１０及び回路基板２０を除く他の構成は、第１の実施の形態と同様であるので、ここでは同軸ケーブル接続部材１０及び回路基板２０を説明する。
【００９５】
（同軸ケーブル接続部材１０）
図１９は、第６の実施の形態における同軸ケーブル接続部材１０の一例を説明する図である。図１９（ａ）は、平面図、図１９（ｂ）は、正面図、図１９（ｃ）は、側面図、図１９（ｄ）は、裏面図、図１９（ｅ）は、斜視図である。
【００９６】
同軸ケーブル接続部材１０の構成を、図１９（ｅ）の斜視図に基づいて説明する。
同軸ケーブル接続部材１０は、点線で囲って示されている本体部１１と、本体部１１から張り出した挿入部４２とを備えている。なお、本体部１１は、第１の実施の形態における同軸ケーブル接続部材１０の本体部１１の挿入溝部１３を備えない代わりに、回路基板２０に接触する接触部４１を備える。
同軸ケーブル接続部材１０の本体部１１は、正面中央部に、同軸ケーブル３０（図３参照）が挿入される貫通孔１２を備えている。貫通孔１２は、同軸ケーブル接続部材１０を前後方向に貫通している（図１９（ｃ）参照）。
本体部１１が、同軸ケーブル３０を保持する保持部の一例である。
【００９７】
そして、貫通孔１２の上側にはんだを供給するための開口１５を有する開口部１４を備えている。開口１５は、前側の端部に至るが、後側の端部には達していない（図１９（ｅ）参照）。ここでは、開口１５は、表面形状を一方が開いたＵ字状としたが、閉じた円形であってもよく、他の形状であってもよい。また、はんだの供給が貫通孔１２の入り口から行える場合には、開口１５を備えなくてもよい。
【００９８】
さらに、同軸ケーブル接続部材１０の上側の左側及び右側のそれぞれは、下側に向かって斜めになった傾斜面部１６となっている（図１９（ｂ）参照）。貫通孔１２を取り巻く肉厚の変動が少なくなるとともに、同軸ケーブル接続部材１０の熱容量が小さくなっている。
これにより、同軸ケーブル接続部材１０と同軸ケーブル３０の露出させた外部導体３３とのはんだ付けが容易にできるようになっている。
なお、貫通孔１２、開口部１４及び傾斜面部１６は、第１の実施の形態における同軸ケーブル接続部材１０と同様であるので、詳細な説明を省略する。
【００９９】
また、貫通孔１２の左右方向の外側には、回路基板２０の切欠き部２４（後述する図２０参照）に挿入される挿入部４２を備えている。挿入部４２は、貫通孔１２を挟むように、左側及び右側にそれぞれ挿入凸部４２Ａを備えている。また、挿入部４２は、貫通孔１２の前側の端部に凸部の一例としての挿入凸部４２Ｂを備えている。すなわち、挿入凸部４２Ａは、貫通孔１２の孔方向に沿って設けられ、挿入凸部４２Ｂは、貫通孔１２の孔方向に直交する方向に飛び出すように設けられている。そして、挿入凸部４２Ａ、４２Ｂは、貫通孔１２から下側に延びている。なお、挿入凸部４２Ｂは、貫通孔１２の孔方向に交差する方向に飛び出すように設けられていればよい。
そして、同軸ケーブル接続部材１０における本体部１１は、挿入部４２が後述する回路基板２０の切欠き部２４に挿入された際に、回路基板２０の面に接する一対の接触部４１を備えている。接触部４１は、貫通孔１２の孔方向に沿って、貫通孔１２側から左右方向に延びて設けられている。すなわち、接触部４１は、回路基板２０の表面に対して、同軸ケーブル３０の長手方向において、面で接触する。
【０１００】
接触部４１の前側の端部は、挿入凸部４２Ｂに繋がっている。同様に、挿入凸部４２Ａの前側の端部も、挿入凸部４２Ｂに繋がっている。また、挿入凸部４２Ｂと接触部４１とは、貫通孔１２の孔方向において繋がっている。
なお、接触部４１と挿入凸部４２Ｂとが繋がる部分の内、回路基板２０側となる部分５１（図１９（ｃ）参照）、及び、接触部４１と挿入凸部４２Ａとが繋がる部分の内、回路基板２０側となる部分５２（図１９（ｄ））には、予め定められた曲率（例えば、０．３ｍｍ）の窪みが形成されている。
これにより、回路基板２０の表面及び側面が、接触部４１及び挿入凸部４２Ｂに容易に密着できるようになっている。
【０１０１】
また、図１９（ｄ）に示すように、一対の挿入凸部４２Ａの間の部分５３は、空隙とした。これは、貫通孔１２の周りの厚さの変動を抑制し、熱容量のばらつきを低減するためである。これにより、同軸ケーブル接続部材１０と同軸ケーブル３０の外部導体３３との間におけるはんだ付けの、外部導体３３の外周方向におけるばらつきが抑制される。
なお、図１９（ａ）、（ｂ）、（ｃ）、（ｄ）、（ｅ）において、同軸ケーブル接続部材１０の外面（外側の面）の交差部分に丸みを設けたが、丸みを設けなくてもよい。
【０１０２】
同軸ケーブル接続部材１０は、長さがＭ、挿入凸部４２Ｂの幅がＷ１、一対の挿入凸部４２Ａの外側間の距離がＷ２である。そして、貫通孔１２の内径Ｈが３．８ｍｍである。
なお、同軸ケーブル接続部材１０は、左右方向で対称である。よって、右側又は左側の一方にのみ符号を付している。以下同様である。
【０１０３】
同軸ケーブル接続部材１０は、第１の実施の形態における同軸ケーブル接続部材１０と同様に、銅、真鍮、アルミニウム、亜鉛などの導電体材料で構成されている。同軸ケーブル接続部材１０は、導電体材料から削り出しにより製造できる。また、金型鋳造（ダイカスト）により製造することもできる。融点が低い亜鉛は、ダイカストによる同軸ケーブル接続部材１０の製造をより容易にする。
なお、はんだ付けを容易にするため、同軸ケーブル接続部材１０の表面は、錫めっき、金めっき、銀めっき等のめっき処理されることが好ましい。
【０１０４】
（回路基板２０）
図２０は、同軸ケーブル接続部材１０が取り付けられる回路基板２０の一例を説明する図である。図２０（ａ）は、表面図、図２０（ｂ）は、図２０（ａ）、（ｃ）のＸＸＢ−ＸＸＢ線での断面図、図２０（ｃ）は裏面図である。
回路基板２０は、図２に示した第１の実施の形態における回路基板２０と、切欠き部２４の形状が異なっている。切欠き部２４を除く他の構成は、第１の実施の形態と同様であるので、切欠き部２４のみを説明する。
【０１０５】
図２に示した第１の実施の形態における回路基板２０では、切欠き部２４は、コ字状に側面２４Ａ、２４Ｂ、２４Ｃで構成されていた。ここでは、切欠き部２４は、側面２４Ａ、２４Ｂ、２４Ｃに加えて、側面２４Ｄ、２４Ｅが付け加えられている。側面２４Ｄが、側面２４Ａと側面２４Ｃとの接続部分に位置し、側面２４Ｅが、側面２４Ｂと側面２４Ｃとの接続部分に位置している。そして、側面２４Ｄと側面２４Ｅとが対向する部分が、対向する側面２４Ａと側面２４Ｃの間の幅Ｓより広くなっている。
なお、側面２４Ｄと側面２４Ｅの形状は、同軸ケーブル接続部材１０の挿入凸部４２Ｂの形状に応じて設定されている。ここでは、円弧を有する形状に形成されている。
【０１０６】
（回路基板２０への同軸ケーブル接続部材１０の取り付け方法）
図２１は、同軸ケーブル接続部材１０により回路基板２０に同軸ケーブル３０を取り付けた状態を説明する図である。図２１（ａ）は、回路基板２０の表面側から見た図、図２１（ｂ）は、回路基板２０の裏面側から見た図である。
図２１（ａ）、（ｂ）に示すように、同軸ケーブル接続部材１０の挿入部４２が、回路基板２０の切欠き部２４に、回路基板２０の表面側から挿入されて、同軸ケーブル接続部材１０と回路基板２０とが嵌合している。
【０１０７】
図２１（ａ）に示すように、同軸ケーブル接続部材１０における挿入部４２の挿入凸部４２Ｂが、回路基板２０の切欠き部２４の側面２４Ｃ、２４Ｄ、２４Ｅに嵌めこまれている。これにより、回路基板２０と同軸ケーブル接続部材１０との前後方向におけるずれが抑制される。
また、同軸ケーブル接続部材１０の本体部１１における接触部４１が、同軸ケーブル３０の長手方向に沿って回路基板２０の表面に接触するので、同軸ケーブル３０の内部導体３１と回路基板２０の表面の信号導体２２との位置関係がずれることが抑制されるとともに、同軸ケーブル接続部材１０が同軸ケーブル３０の長手方向（図２１（ａ）の前後方向）において傾くことが抑制される。
【０１０８】
そして、第１の実施の形態における図５（ｂ）に示したと同様に、回路基板２０の裏面の基準導体２３と同軸ケーブル接続部材１０とがはんだ付けされる（図２１（ｂ）の領域α）。また、第１の実施の形態における図６（ｂ）に示したと同様に、同軸ケーブル３０の外部導体３３と同軸ケーブル接続部材１０とが、開口部１４の開口１５を通してはんだ付けされる（図２１（ａ）の領域δ）。さらに、第１の実施の形態における図６（ｃ）に示したと同様に、同軸ケーブル３０の内部導体３１と回路基板２０の信号導体２２とがはんだ付けされる（図２１（ａ）の領域γ）。
なお、図２１（ａ）、（ｂ）に図示しないが、第１の実施の形態における図６（ｂ）の領域βと同様に、同軸ケーブル３０の外部導体３３と同軸ケーブル接続部材１０とが、回路基板２０の外側（図２１（ａ）の後側）においてはんだ付けされる。
【０１０９】
同軸ケーブル接続部材１０を用いた回路基板２０と同軸ケーブル３０との接続する方法として、回路基板２０と同軸ケーブル接続部材１０とを領域αではんだ付けして固定した後、同軸ケーブル３０を貫通孔１２に挿入して、同軸ケーブル３０と回路基板２０及び同軸ケーブル接続部材１０とを領域β、δ、γにおいてはんだ付けして固定することで、回路基板２０と同軸ケーブル３０とを接続してもよい。
また、同軸ケーブル接続部材１０の貫通孔１２に同軸ケーブル３０を挿入して、領域β、δではんだ付けして固定した後、同軸ケーブル接続部材１０を回路基板２０の切欠き部２４に挿入して、領域α、γをはんだ付けして固定することで、回路基板２０と同軸ケーブル３０とを接続してもよい。
【０１１０】
なお、図２１（ｂ）から分かるように、同軸ケーブル接続部材１０と回路基板２０の基準導体２３とをはんだ付けした領域αが、第１の実施の形態の同軸ケーブル接続部材１０における張出部１７として機能する。すなわち、はんだ付けした領域αは、同軸ケーブル３０の内部導体３１に対してストリップライン（線路）を構成する。よって、第１の実施の形態における図８で説明したように、同軸ケーブル３０と回路基板２０との接続によって生じるインピーダンスの変動が抑制される。
【０１１１】
（信号反射特性）
次に、第１の実施の形態における同軸ケーブル接続部材１０（実施例１と表記する。）を用いて回路基板２０と同軸ケーブル３０とを接続した場合と、第６の実施の形態の同軸ケーブル接続部材１０（実施例２と表記する。）を用いて回路基板２０と同軸ケーブル３０とを接続した場合とにおける信号反射特性を説明する。
【０１１２】
実施例１の同軸ケーブル接続部材１０については、既に説明した。すなわち、同軸ケーブル接続部材１０は、本体部１１の長さＭが５．０ｍｍ、張出部１７の長さＮが１．８ｍｍ、貫通孔１２の内径Ｈが３．８ｍｍ、挿入溝部１３の高さＧが１．６ｍｍ、挿入溝部１３間の間隔Ｗが４．６ｍｍである。実施例１の同軸ケーブル接続部材１０は、外部導体３３の外径が３．６ｍｍの同軸ケーブル３０、及び、厚さＴが１．６ｍｍの回路基板２０に対応するように構成されている。
また、回路基板２０は、切欠き部２４の幅Ｓが４．８ｍｍ、切欠き部２４の深さＵが５．０ｍｍである。
【０１１３】
一方、実施例２の同軸ケーブル接続部材１０は、長さＭが５．０ｍｍ、貫通孔１２の内径Ｈが３．８ｍｍである。そして、挿入凸部４２Ｂの幅Ｗ１が７．０ｍｍ、一対の挿入凸部４２Ａの外側間の距離Ｗ２が４．６ｍｍである。実施例２の同軸ケーブル接続部材１０は、外部導体３３の外径が３．６ｍｍの同軸ケーブル３０に対応するように構成されている。なお、回路基板２０の厚さＴに対する制約がない。
また、回路基板２０は、切欠き部２４の幅Ｓが４．８ｍｍ、切欠き部２４の深さＵが５．０ｍｍである。なお、側面２４Ｄ、２４Ｅの形状は、挿入凸部４２Ｂが挿入可能な形状に構成されている。
【０１１４】
図２２は、実施例１の同軸ケーブル接続部材１０と実施例２の同軸ケーブル接続部材１０とそれぞれを用いて、同軸ケーブル３０と厚さＴが０．８ｍｍの回路基板２０とを接続した場合の信号反射特性である。横軸は、周波数（ＧＨｚ）縦軸は、信号反射特性を表すＳパラメータのＳ１１、すなわちリターンロス（ｄＢ）である。リターンロス（ｄＢ）は、小さいほどよい。
【０１１５】
実施例１と実施例２とを比較すると、実施例１が実施例２に比べてリターンロス（ｄＢ）が大きい。
これは、実施例１（第１の実施の形態）の同軸ケーブル接続部材１０が、厚さＴが１．６ｍｍの回路基板２０に対応するため、厚さＴが０．８ｍｍの回路基板２０に適用すると、同軸ケーブル３０の内部導体３１が回路基板２０の信号導体２２から離れるために生じたインピーダンスの変動によると考えられる。
つまり、実施例１（第１の実施の形態）の同軸ケーブル接続部材１０では、図５に示したように、まず、裏返した状態の回路基板２０に、同軸ケーブル接続部材１０を挿入され、領域αがはんだ付けされる。すると、回路基板２０の厚さＴが０．８ｍｍであると、本来の厚さＴの１．６ｍｍより薄いため、図６（ａ）に示したように、回路基板２０を表返して、同軸ケーブル３０を貫通孔１２に通すと、内部導体３１の位置が、回路基板２０の表面（信号導体２２）から、０．８ｍｍ離れた位置にくる。このため、同軸ケーブル３０の内部導体３１と回路基板２０の信号導体２２との間に隙間が生じてしまう。ここでは、領域γ（図６（ｂ）、（ｃ）参照）のはんだによってこの隙間を埋めている。
このため、同軸ケーブル３０の内部導体３１と回路基板２０の信号導体２２との間においてインピーダンスが変動したと考えられる。
【０１１６】
図２３は、実施例１の同軸ケーブル接続部材１０と実施例２の同軸ケーブル接続部材１０とをそれぞれ用いて、同軸ケーブル３０と厚さＴが１．６ｍｍの回路基板２０とを接続した場合の信号反射特性である。横軸は、周波数（ＧＨｚ）、縦軸は、信号反射特性を表すＳ１１であって、リターンロス（ｄＢ）である。
【０１１７】
図２３に示すように、実施例１及び実施例２とも、小さなリターンロス（ｄＢ）を示している。すなわち、実施例１の同軸ケーブル接続部材１０は、厚さＴが１．６ｍｍの回路基板２０に対応しているので、リターンロス（ｄＢ）が小さい。
【０１１８】
以上説明したように、第６の実施の形態における同軸ケーブル接続部材１０（実施例２）は、回路基板２０の厚さＴに依存することなく、リターンロス（ｄＢ）を小さく抑えている。
【０１１９】
図２４は、同軸ケーブル接続部材１０の変形例を説明する図である。図２４（ａ）は、挿入凸部４２Ｂの位置を、同軸ケーブル接続部材１０における同軸ケーブル３０の長手方向の中央に設けた場合、図２４（ｂ）は、挿入凸部４２Ｂの位置を、同軸ケーブル接続部材１０における同軸ケーブル３０が挿入される側に設けた場合である。
いずれにおいても、同軸ケーブル接続部材１０と回路基板２０との前後方向のずれが抑制される。すなわち、同軸ケーブル接続部材１０において挿入凸部４２Ｂを設ける位置は、同軸ケーブル接続部材１０の回路基板２０における前後方向のずれが抑制される位置であればよい。
【０１２０】
なお、同軸ケーブル接続部材１０の先端を回路基板２０の切欠き部２４の側面２４Ｂに突合させることで、同軸ケーブル接続部材１０と回路基板２０とが位置決めされる場合には、挿入凸部４２Ｂを設けることを要しない。
【０１２１】
また、第２の実施の形態における同軸ケーブル接続部材１０と同様に、傾斜面部１６及び開口部１４を曲面部１８としてもよい。さらに、第４の実施の形態における同軸ケーブル接続部材１０と同様に、貫通孔１２の直径（内径）を複数に設定してもよい。
【０１２２】
［第７の実施の形態］
第６の実施の形態における同軸ケーブル接続部材１０の本体部１１は、開口１５が設けられた開口部１４を備えていた。
第７の実施の形態における同軸ケーブル接続部材１０の本体部１１は、開口部１４を備えていない。同軸ケーブル接続部材１０を除く他の構成は、第６の実施の形態と同様であるので、ここでは同軸ケーブル接続部材１０を説明する。
【０１２３】
（同軸ケーブル接続部材１０）
図２５は、第７の実施の形態における同軸ケーブル接続部材１０の一例を説明する図である。図２５（ａ）は、平面図、図２５（ｂ）は、正面図、図２５（ｃ）は、側面図、図２５（ｄ）は、裏面図、図２５（ｅ）は、斜視図である。
第７の実施の形態における同軸ケーブル接続部材１０は、第６の実施の形態における同軸ケーブル接続部材１０の本体部１１において、開口部１４を備えていないため、左右方向の傾斜面部１６の間が、開口１５になっている。よって、同軸ケーブル３０が保持される部分は、貫通孔１２ではなく保持溝１２′になっている。
本体部１１が、同軸ケーブル３０を保持する保持部の一例である。
同軸ケーブル接続部材１０における他の構成は、第６の実施の形態における同軸ケーブル接続部材１０と同様であるので、詳細な説明を省略する。
【０１２４】
第６の実施の形態における同軸ケーブル接続部材１０では、開口部１４が同軸ケーブル３０の外部導体３３の表面の一部を覆っていた。第７の実施の形態における同軸ケーブル接続部材１０では、同軸ケーブル３０の外部導体３３の表面の一部を覆う開口部１４を備えていないため、同軸ケーブル接続部材１０と同軸ケーブル３０の外部導体３３とのはんだ付けがさらに容易になる（第１の実施の形態で示した図６（ｂ）、（ｃ）参照）。
【０１２５】
保持溝１２′は、同軸ケーブル３０の外部導体３３が保持されるように設けられていればよい。同軸ケーブル３０が上下方向（図２５（ａ）、（ｂ）、（ｄ）参照）にずれて固定されることを抑制するため、保持溝１２′の上側に傾斜面部１６が張り出すように設けられていてもよい。すなわち、左右方向に位置する傾斜面部１６の間の距離が、同軸ケーブル３０の外部導体３３の直径（外径）より小さくてもよい。
【０１２６】
なお、第６の実施の形態における同軸ケーブル接続部材１０のように開口部１４を備えると、回路基板２０及び同軸ケーブル３０を取り付ける前において、同軸ケーブル接続部材１０の傾斜面部１６の間の距離が機械的な外力を受けて変動することが抑制される。
【０１２７】
また、第２の実施の形態における同軸ケーブル接続部材１０と同様に、傾斜面部１６を曲面部１８としてもよい。
さらに、第４の実施の形態における同軸ケーブル接続部材１０と同様に、貫通孔１２の直径（内径）を複数に設定してもよい。
【０１２８】
また、第１の実施の形態から第６の実施の形態における同軸ケーブル接続部材１０は、貫通孔１２又は保持溝１２′をそれぞれ１個備え、１本の同軸ケーブル３０を接続したが、同軸ケーブル接続部材１０を複数並列させて、複数の同軸ケーブル３０が接続されるようにしてもよい。
なお、第１の実施の形態及び第６の実施の形態で示した数値は、一例であって、これらに限定されないことは明らかである。
その他、本発明の趣旨に反しない限りにおいて様々な変形例の組み合わせを行っても構わない。
【符号の説明】
【０１２９】
１０…同軸ケーブル接続部材、１１…本体部、１２…貫通孔、１２′…保持溝、１３…挿入溝部、１３Ａ、１３Ｂ…挿入溝部張出、１３Ｃ…挿入溝、１４…開口部、１５…開口、１６…傾斜面部、１７、１９…張出部、１８…曲面部、２０…回路基板、２１…誘電体板、２２、２２Ａ、２２Ｂ…信号導体、２３…基準導体、２４…切欠き部、２５…内部導体挿入孔、３０…同軸ケーブル、３１…内部導体、３２…誘電体、３３…外部導体、３４…外部被覆、４１…接触部、４２…挿入部、１００…信号分配器、２００…移相器、３００…アンテナ装置、１１０、２１０、３１０…筐体
【図１】
2016127008.tif 000003
【図２】
2016127008.tif 000004
【図３】
2016127008.tif 000005
【図４】
2016127008.tif 000006
【図５】
2016127008.tif 000007
【図６】
2016127008.tif 000008
【図７】
2016127008.tif 000009
【図８】
2016127008.tif 000010
【図９】
2016127008.tif 000011
【図１０】
2016127008.tif 000012
【図１１】
2016127008.tif 000013
【図１２】
2016127008.tif 000014
【図１３】
2016127008.tif 000015
【図１４】
2016127008.tif 000016
【図１５】
2016127008.tif 000017
【図１６】
2016127008.tif 000018
【図１７】
2016127008.tif 000019
【図１８】
2016127008.tif 000020
【図１９】
2016127008.tif 000021
【図２０】
2016127008.tif 000022
【図２１】
2016127008.tif 000023
【図２２】
2016127008.tif 000024
【図２３】
2016127008.tif 000025
【図２４】
2016127008.tif 000026
【図２５】
2016127008.tif 000027
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
同軸ケーブルを長手方向が回路基板の一方の表面に沿う方向に保持する保持部と、
前記回路基板の切欠き部に挿入される挿入部と、を備え、
前記保持部は、前記回路基板に対して前記同軸ケーブルの長手方向に面で接触する接触部を有し、
前記挿入部は、前記回路基板の一方の表面及び他方の表面を挟み込むように当該回路基板に挿入されるとともに、前側の間隔と後側の間隔とが異なる挿入溝を有し、
前記保持部が保持する前記同軸ケーブルの先端部に露出させた内部導体と、前記回路基板の一方の表面に設けられた信号導体と、を接続させるとともに、
前記回路基板の他方の表面に設けられた基準導体と、前記保持部が保持する前記同軸ケーブルにおいて露出させた外部導体と、を接続させる
ことを特徴とする同軸ケーブル接続部材。
【請求項２】
前記同軸ケーブルの露出させた前記内部導体が前記回路基板を介して対向するように、当該回路基板の前記切欠き部に挿入される側に張り出した張出部を備えることを特徴とする請求項１に記載の同軸ケーブル接続部材。
【請求項３】
前記同軸ケーブルが挿入される側に張り出した張出部を備えることを特徴とする請求項１又は２に記載の同軸ケーブル接続部材。
【請求項４】
同軸ケーブルを長手方向が回路基板の一方の表面に沿う方向に保持する保持部と、
前記回路基板の切欠き部に、当該回路基板の一方の表面側から挿入され、当該切欠き部に保持される挿入部と、を備え、
前記保持部は、前記回路基板の一方の表面に対して前記同軸ケーブルの長手方向に面で接触する接触部を有し、
前記保持部が保持する前記同軸ケーブルの先端部に露出させた内部導体と、前記回路基板の一方の表面に設けられた信号導体と、を接続させるとともに、
前記回路基板の他方の表面に設けられた基準導体と、前記保持部が保持する前記同軸ケーブルにおいて露出させた外部導体とを、前記挿入部を介して接続させる
ことを特徴とする同軸ケーブル接続部材。
【請求項５】
前記挿入部は、前記回路基板に対して前記同軸ケーブルの長手方向と交差する方向に飛び出した凸部を有することを特徴とする請求項４に記載の同軸ケーブル接続部材。
【請求項６】
前記保持部は、前記同軸ケーブルが挿入されて、当該同軸ケーブルを保持する貫通孔を備えていることを特徴とする請求項１乃至５のいずれか１項に記載の同軸ケーブル接続部材。
【請求項７】
前記同軸ケーブルの露出させた前記外部導体を接続するためのはんだを供給する、前記貫通孔に達する開口をさらに備えることを特徴とする請求項６に記載の同軸ケーブル接続部材。
【請求項８】
前記貫通孔から外側までの距離を短くするように、外側に傾斜面又は曲面を有することを特徴とする請求項６又は７に記載の同軸ケーブル接続部材。
【請求項９】
同軸ケーブルと、
誘電体板と、当該誘電体板の一方の表面に設けられた信号導体と、当該誘電体板の他方の表面に設けられた基準導体と、を有し、前記同軸ケーブルの先端部に露出させた内部導体が接続される当該信号導体の端部と対向する部分に切欠き部が設けられた回路基板と、
前記同軸ケーブルと前記回路基板とを接続する同軸ケーブル接続部材と、を備え、
前記同軸ケーブル接続部材は、
前記同軸ケーブルを長手方向が前記回路基板の一方の表面に沿う方向に保持する保持部と、
前記回路基板の前記切欠き部に、当該回路基板の一方の表面側から挿入され、当該切欠き部に保持される挿入部と、を備え、
前記保持部は、前記回路基板の一方の表面に対して前記同軸ケーブルの長手方向に面で接触する接触部を有し、
前記保持部が保持する前記同軸ケーブルの前記先端部に露出させた前記内部導体と、前記誘電体板の前記一方の表面に設けられた前記信号導体と、を接続させるとともに、
前記誘電体板の前記他方の表面に設けられた前記基準導体と、前記保持部が保持する前記同軸ケーブルにおいて露出させた外部導体とを、前記挿入部を介して接続させる
ことを特徴とする通信回路。
【請求項１０】
同軸ケーブルと、
誘電体板と、当該誘電体板の一方の表面に設けられた信号導体と、当該誘電体板の他方の表面に設けられた基準導体と、を有し、前記同軸ケーブルの先端部に露出させた内部導体が接続される当該信号導体の端部と対向する部分に切欠き部が設けられた回路基板と、
前記同軸ケーブルと前記回路基板とを接続する同軸ケーブル接続部材と、
前記同軸ケーブル、前記回路基板及び前記同軸ケーブル接続部材を収納する筐体と、を備え、
前記同軸ケーブル接続部材は、
前記同軸ケーブルを長手方向が前記回路基板の一方の表面に沿う方向に保持する保持部と、
前記回路基板の前記切欠き部に、当該回路基板の一方の表面側から挿入され、当該切欠き部に保持される挿入部と、を備え、
前記保持部は、前記回路基板の一方の表面に対して前記同軸ケーブルの長手方向に面で接触する接触部を有し、
前記保持部が保持する前記同軸ケーブルの前記先端部に露出させた前記内部導体と、前記誘電体板の前記一方の表面に設けられた前記信号導体と、を接続させるとともに、
前記誘電体板の前記他方の表面に設けられた前記基準導体と、前記保持部が保持する前記同軸ケーブルにおいて露出させた外部導体とを、前記挿入部を介して接続させる
ことを特徴とする通信装置。
【手続補正２】
【補正対象書類名】明細書
【補正対象項目名】０００６
【補正方法】変更
【補正の内容】
【０００６】
かかる目的のもと、本発明が適用される同軸ケーブル接続部材は、同軸ケーブルを長手方向が回路基板の一方の表面に沿う方向に保持する保持部と、回路基板の切欠き部に挿入される挿入部と、を備え、保持部は、回路基板に対して同軸ケーブルの長手方向に面で接触する接触部を有し、挿入部は、回路基板の一方の表面及び他方の表面を挟み込むように回路基板に挿入されるとともに、前側の間隔と後側の間隔とが異なる挿入溝を有し、保持部が保持する同軸ケーブルの先端部に露出させた内部導体と、回路基板の一方の表面に設けられた信号導体と、を接続させるとともに、回路基板の他方の表面に設けられた基準導体と、保持部が保持する同軸ケーブルにおいて露出させた外部導体と、を接続させる。
同軸ケーブルの露出させた内部導体が回路基板を介して対向するように、回路基板の切欠き部に挿入される側に張り出した張出部を備えることを特徴とすることができる。
これにより、張出部を備えない場合に比べ、接続部分におけるインピーダンスの変動が抑制される。
また、同軸ケーブルが挿入される側に張り出した張出部を備えることを特徴とすることができる。
これにより、張出部を備えない場合に比べ、取り付け作業がさらに簡略化できる。
【手続補正３】
【補正対象書類名】明細書
【補正対象項目名】０００７
【補正方法】変更
【補正の内容】
【０００７】
本発明が適用される同軸ケーブル接続部材は、同軸ケーブルを長手方向が回路基板の一方の表面に沿う方向に保持する保持部と、回路基板の切欠き部に、回路基板の一方の表面側から挿入され、切欠き部に保持される挿入部と、を備え、保持部は、回路基板の一方の表面に対して同軸ケーブルの長手方向に面で接触する接触部を有し、保持部が保持する同軸ケーブルの先端部に露出させた内部導体と、回路基板の一方の表面に設けられた信号導体と、を接続させるとともに、回路基板の他方の表面に設けられた基準導体と、保持部が保持する同軸ケーブルにおいて露出させた外部導体とを、挿入部を介して接続させる。
また、このような同軸ケーブル接続部材において、挿入部は、回路基板に対して同軸ケーブルの長手方向と交差する方向に飛び出した凸部を有することを特徴とすることができる。
これにより、同軸ケーブル接続部材が回路基板に対して同軸ケーブルの長手方向にずれることが抑制される。
【手続補正４】
【補正対象書類名】明細書
【補正対象項目名】０００９
【補正方法】変更
【補正の内容】
【０００９】
他の観点から捉えると、本発明が適用される通信回路は、同軸ケーブルと、誘電体板と、誘電体板の一方の表面に設けられた信号導体と、誘電体板の他方の表面に設けられた基準導体と、を有し、同軸ケーブルの先端部に露出させた内部導体が接続される信号導体の端部と対向する部分に切欠き部が設けられた回路基板と、同軸ケーブルと回路基板とを接続する同軸ケーブル接続部材と、を備え、同軸ケーブル接続部材は、同軸ケーブルを長手方向が回路基板の一方の表面に沿う方向に保持する保持部と、回路基板の切欠き部に、回路基板の一方の表面側から挿入され、切欠き部に保持される挿入部と、を備え、保持部は、回路基板の一方の表面に対して同軸ケーブルの長手方向に面で接触する接触部を有し、保持部が保持する同軸ケーブルの先端部に露出させた内部導体と、誘電体板の一方の表面に設けられた信号導体と、を接続させるとともに、誘電体板の他方の表面に設けられた基準導体と、保持部が保持する同軸ケーブルにおいて露出させた外部導体とを、挿入部を介して接続させる。
【手続補正５】
【補正対象書類名】明細書
【補正対象項目名】００１０
【補正方法】変更
【補正の内容】
【００１０】
さらに他の観点から捉えると、本発明が適用される通信装置は、同軸ケーブルと、誘電体板と、誘電体板の一方の表面に設けられた信号導体と、誘電体板の他方の表面に設けられた基準導体と、を有し、同軸ケーブルの先端部に露出させた内部導体が接続される信号導体の端部と対向する部分に切欠き部が設けられた回路基板と、同軸ケーブルと回路基板とを接続する同軸ケーブル接続部材と、同軸ケーブル、回路基板及び同軸ケーブル接続部材を収納する筐体と、を備え、同軸ケーブル接続部材は、同軸ケーブルを長手方向が回路基板の一方の表面に沿う方向に保持する保持部と、回路基板の切欠き部に、回路基板の一方の表面側から挿入され、切欠き部に保持される挿入部と、を備え、保持部は、回路基板の一方の表面に対して同軸ケーブルの長手方向に面で接触する接触部を有し、保持部が保持する同軸ケーブルの先端部に露出させた内部導体と、誘電体板の一方の表面に設けられた信号導体と、を接続させるとともに、誘電体板の他方の表面に設けられた基準導体と、保持部が保持する同軸ケーブルにおいて露出させた外部導体とを、挿入部を介して接続させる。